【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
少なくとも１つの熱伝導性部分を有する取付具ハウジング、および
該取付具ハウジングの前記少なくとも１つの熱伝導性部分に装着されるソケットを含み、
該ソケットは、該ソケット内に取り付けられた光生成モジュールと前記取付具ハウジングの前記少なくとも１つの熱伝導性部分との間の熱伝導経路をもたらす、モジュラーライティング取付具。
【請求項２】
取付具ハウジングの少なくとも１つの熱伝導性部分が、前記取付具ハウジングの表面領域の大部分を構成する、請求項１に記載の取付具。
【請求項３】
取付具ハウジングの少なくとも１つの熱伝導性部分が、前記取付具ハウジングからの熱放散を促進する複数の表面変形を含む、請求項１に記載の取付具。
【請求項４】
複数の表面変形が、複数のフィンを含む、請求項３に記載の取付具。
【請求項５】
ソケットが、空間をその中に形成する本質的に丸形のカラーを含み、前記空間内で、光生成モジュールがソケット内に取り付けられる、請求項１に記載の取付具。
【請求項６】
カラーが、ソケットの取付具ハウジングへの結合を容易にするために、複数のフランジを含む、請求項５に記載の取付具。
【請求項７】
カラーが、ソケットとのインターロック式機械的係合を容易にするために、少なくとも１つの外部機構を含む、請求項５に記載の取付具。
【請求項８】
カラーが、光生成モジュールがソケットに取り付けられるときの直線状ドッキング経路をもたらすために、すくなくとも１つの内部機構を含む、請求項７に記載の取付具。
【請求項９】
取付具ハウジングに結合され、カラーによって輪郭が形成される領域に位置する、少なくとも１つの第１電気コネクタ部分をさらに含み、光生成モジュールが前記カラーによって形成される空間に取り付けられるときに、前記カラーの少なくとも１つの内部機構が、前記少なくとも１つの第１電気コネクタ部分と、前記光生成モジュールに関連する少なくとも１つの相補形第２電気コネクタ部分との係合を容易にする、請求項８に記載の取付具。
【請求項１０】
カラーの少なくとも１つの外部機構に対して相補形である少なくとも１つの内部機構を有する、本質的に円形のグリップリングをさらに含めて、該グリップリングがソケットとのインターロック式機械的接続を形成するようにした、請求項７に記載の取付具。
【請求項１１】
ソケット内に取り付けられる光生成モジュールをさらに含み、グリップリングが、光生成モジュールの外周の少なくとも一部分の上に適合して、前記光生成モジュールをインターロック式機械的接続を介して前記ソケット内に保持するように構成された、請求項１０に記載の取付具。
【請求項１２】
光生成モジュールが熱伝導性ベースを含み、該熱伝導性ベースは、取付具ハウジングの少なくとも１つの熱伝導性部分と接触して配置されて、グリップリングがソケットとのインターロック式機械的接続を形成するときに、熱伝導経路を形成する、請求項１１に記載の取付具。
【請求項１３】
モジュラーライティング取付具であって、
少なくとも１つの光放出開口を有する取付具ハウジング；
前記取付具ハウジングに装着されて、前記少なくとも１つの光放出開口を介してアクセス可能なソケット；
前記少なくとも１つの光放出開口を介して、該ソケット内に取付けおよび取外しすることができる、光生成モジュール；および
前記光生成モジュールを制御するコントローラモジュールであって、前記取付具ハウジング内に配置されて、前記少なくとも１つの光放出開口を介してアクセス可能であり、前記コントローラモジュールの取付けおよび取外しを容易化する、前記コントローラモジュール、
を含む、前記モジュラーライティング取付具。
【請求項１４】
光生成モジュールがＬＥＤベース光生成モジュールである、請求項１３に記載の取付具。
【請求項１５】
ＬＥＤベース光生成モジュールが、本質的に白色光を生成するように構成されている、請求項１４に記載の取付具。
【請求項１６】
ＬＥＤベース光生成モジュールが多重チャネルを含み、各チャネルは異なるスペクトルを有する放射を生成するように構成されており、
コントローラモジュールが、前記多重チャネルのそれぞれのチャネルを独立に制御して、色温度可変の白色光として本質的に白色の光を生成するように構成されている、請求項１５に記載の取付具。
【請求項１７】
多重チャネルの少なくとも第１のチャネルが、少なくとも１つの第１白色ＬＥＤを含む、請求項１６に記載の取付具。
【請求項１８】
モジュラーライティング取付具であって、
取付具ハウジング；
前記取付具ハウジングに装着されたソケット；
前記ソケットに取り付けられ、それからの取外しが可能な光生成モジュール；および前記取付具ハウジング内またはその近傍に配置されて、前記光生成モジュールを制御するコントローラモジュールを含み、
前記光生成モジュールが、該光生成モジュールの少なくとも１つの特徴に関係する情報を前記コントローラモジュールに提供するように構成されるとともに、  前記コントローラモジュールが、前記光生成モジュールによって提供される情報に少なくとも部分的に基づいて、前記光生成モジュールを制御するように構成されている、前記モジュラーライティング取付具。
【請求項１９】
光生成モジュールが情報を記憶するメモリを含む、請求項１８に記載の取付具。
【請求項２０】
情報が、光生成モジュールの固有識別子を含む、請求項１８に記載の取付具。
【請求項２１】
固有識別子が、光生成モジュールの通し番号を含む、請求項２０に記載の取付具。
【請求項２２】
情報が、光生成モジュールによって生成される光の少なくとも１つの特徴に関係する、請求項１８に記載の取付具。
【請求項２３】
情報が、光生成モジュールに関連する少なくとも１つの動作電力要件に関係する、請求項１８に記載の取付具。
【請求項２４】
情報が、光生成モジュールに関連する少なくとも１つの較正パラメータを含む、請求項１８に記載の取付具。
【請求項２５】
情報が、光生成モジュールに関連する動作温度に関係する、請求項１８に記載の取付具。
【請求項２６】
コントローラモジュールが、光生成モジュールに関連する動作温度に少なくとも部分的に基づいて、光生成モジュールの動作電力を調整するように構成されている、請求項２５に記載の取付具。
【請求項２７】
情報が、光生成モジュールに関連する動作履歴に関係する、請求項１８に記載の取付具。
【請求項２８】
情報が、光生成モジュールに関連する動作温度履歴に関係する、請求項２７に記載の取付具。
【請求項２９】
情報が、光生成モジュールに関連する動作時間履歴に関係する、請求項２７に記載の取付具。
【請求項３０】
光生成装置であって、
ＬＥＤアセンブリ；
但し、該ＬＥＤアセンブリは、
アセンブリ基板、および
前記アセンブリ基板に結合された、複数のＬＥＤサブアセンブリであって、該複数のＬＥＤサブアセンブリの各ＬＥＤサブアセンブリが、前記アセンブリ基板への機械的接続、電気的接続、および第１熱的接続の少なくとも１つを形成する、前記複数のＬＥＤサブアセンブリを含む、
複数の光学的構成要素；および
シャーシ；
但し、該シャーシは、
前記ＬＥＤアセンブリに結合され、複数の光学的構成要素がそれぞれその中に保持される、複数のチャンバを含み、前記シャーシは、複数の光学的構成要素のそれぞれの光学的構成要素が、複数のＬＥＤサブアセンブリの対応する１つの光学経路に配置されるように構成されている、
を含む、前記光生成装置。
【請求項３１】
各ＬＥＤサブアセンブリが六角形を有する、請求項３０に記載の装置。
【請求項３２】
各ＬＥＤアセンブリが、本質的に白色光を生成するように構成された、少なくとも１つのＬＥＤを含む、請求項３０に記載の装置。
【請求項３３】
複数のＬＥＤサブアセンブリの少なくとも１つの第１のＬＥＤサブアセンブリが、第１の色温度を有する第１の本質的に白色の光を生成するように構成された少なくとも１つの第１のＬＥＤを含み、
複数のＬＥＤサブアセンブリの少なくとも１つの第２のＬＥＤサブアセンブリが、第１の色温度と異なる第２の色温度を有する、第２の本質的に白色の光を生成するように構成された少なくとも１つの第２のＬＥＤを含む、請求項３２に記載の装置。
【請求項３４】
各ＬＥＤサブアセンブリが、複数の光学的構成要素の対応する１つとの位置合わせを容易化する、少なくとも１つの機構を含む、請求項３０に記載の装置。
【請求項３５】
複数の光学的構成要素の各光学的構成要素が、シャーシの複数のチャンバの対応する１つとインターロック式に機械的に係合するのを容易化する、複数のクリップを含む、請求項３０に記載の装置。
【請求項３６】
熱伝導性のベースプレートをさらに含み、ＬＥＤアセンブリが、前記熱伝導性ベースプレートとシャーシの間に配置された、請求項３０に記載の装置。
【請求項３７】
熱伝導性ベースプレートが、少なくとも複数のＬＥＤサブアセンブリとの第３の熱的接続を形成する、請求項３６に記載の装置。
【請求項３８】
各ＬＥＤサブアセンブリが、上面および底面を有する熱伝導性基板を含み、
各ＬＥＤサブアセンブリの前記上面の少なくとも一部分が、アセンブリ基板への機械的接続、電気的接続、および第１の熱的接続の内の少なくとも１つを形成し、
各ＬＥＤアセンブリの底面が、熱伝導性ベースプレートとの第３の熱的接続の少なくとも一部分を形成する、請求項３７に記載の装置。
【請求項３９】
アセンブリ基板が、シャーシに面する上面と、熱伝導性ベースプレートに面する底面とを有し、
ＬＥＤアセンブリが、アセンブリ基板の底面に装着されて、複数のＬＥＤサブアセンブリに電気的に接続された、少なくとも１つの電気コネクタをさらに含み、
前記熱伝導性ベースプレートが、前記少なくとも１つの電気コネクタがそれを通過する、コネクタ貫通穴を含む、請求項３７に記載の装置。
【請求項４０】
光生成装置であって、
それを介して光が開口から出る、熱伝導性シャーシ；
光を生成するＬＥＤアセンブリ；および
熱伝導性ベースプレートを含み、
前記ＬＥＤアセンブリは、前記熱伝導性ベースプレートと前記熱伝導性シャーシの間に配置され、
前記ＬＥＤアセンブリおよび前記熱伝導性シャーシが、前記熱伝導性シャーシを介して前記ＬＥＤアセンブリからの第１の熱放散を促進する、第１の熱的接続を形成し、
前記ＬＥＤアセンブリおよび前記熱伝導性ベースプレートが、前記熱伝導性ベースプレートを介して前記ＬＥＤアセンブリからの第２の熱放散を促進する、第２の熱的接続を形成する、前記光生成装置。
【請求項４１】
装置が、熱伝導性ベースプレートとライティング取付具の熱伝導性ハウジングとの間の第３の熱的接続をもたらすライティング取付具のソケット中に挿入され、第２の熱放散をさらに促進する、請求項４０に記載の装置。
【請求項４２】
円形シャーシ；および
少なくとも１つのチップ・オン・ボードＬＥＤモジュールを含み、前記円形シャーシに結合された円形プリント回路板基板、
を含む光生成装置。
【請求項４３】
少なくとも１つのチップ・オン・ボードＬＥＤモジュールによって生成される光に影響を与えるように、前記少なくとも１つのチップ・オン・ボードＬＥＤモジュールに対して配置された少なくとも１つの光学的構成要素をさらに含む、請求項４２に記載の装置。
【請求項４４】
少なくとも１つの光学的構成要素が少なくとも１つのチップ・オン・ボードＬＥＤモジュールの光学経路に配置されるように、円形シャーシが、前記少なくとも１つの光学的構成要素を保持する少なくとも１つのチャンバを含む、請求項４３に記載の装置。
【請求項４５】
少なくとも１つのチップ・オン・ボードＬＥＤモジュールが、少なくとも１つのＬＥＤと、少なくとも１つの他の電子構成要素とを含む、請求項４２に記載の装置。